(57)【要約】【課題】本発明は、昇降トレーを上げ下げする構成が簡単、かつ安価で、洗浄槽内に食器かごを置くスペースを多く確保でき、しかも食器かごの上／下移動長さを十分確保できる食器洗い機を提供すること。【解決手段】本発明は、食器かごを載置した状態で洗浄槽内を昇降する載置手段と、前記洗浄槽の引き出しにともない前記載置手段を吊り上げるように這わされている吊りロープと、前記洗浄槽の引き出しにともなう前記吊りロープの牽引に抗するように設けられる付勢手段と、前記載置手段の吊り上げ上方移動を拘束するロック装置とを有し、前記洗浄槽の引き出し完了にともない前記ロック装置の拘束が解かれ、前記付勢手段の付勢力により、前記載置手段の吊り上げ上方移動が行われることを特徴とする。【選択図】図１
2006149496.tif 000002
【特許請求の範囲】
【請求項１】
外枠体に引き出し自在に収まる洗浄槽と、この洗浄槽の内底に設けられる回転自在なる回転ノズル体と、この回転ノズル体の下側に設けられ、かつ洗浄水を回転ノズル体に加圧供給する電動ポンプと、前記洗浄槽内に内置され、該洗浄槽から取り外し可能な食器載置用の食器かごとが備わる食器洗い機において、
前記食器かごを載置した状態で前記洗浄槽内を昇降する載置手段と、
前記洗浄槽の引き出しにともない前記載置手段を吊り上げるように這わされている吊りロープと、
前記洗浄槽の引き出しにともなう前記吊りロープの牽引に抗するように設けられる付勢手段と、
前記載置手段の吊り上げ上方移動を拘束するロック装置とを有し、
前記洗浄槽の引き出し完了にともない前記ロック装置の拘束が解かれ、前記付勢手段の付勢力により、前記載置手段の吊り上げ上方移動が行われることを特徴とする食器洗い機。
【請求項２】
請求項１において、
前記付勢手段として引っ張りバネを用いることを特徴とする食器洗い機。
【請求項３】
請求項２において、
前記洗浄槽の後部背面と前記外枠の内側面との間に設けられる空間に前記吊りロープをＵ字形状になるように垂らし、
前記Ｕ字形状の底部を前記引っ張りバネで下方に引いて前記吊りロープを張ったことを特徴とする食器洗い機。
【発明の詳細な説明】
【技術分野】
【０００１】
本発明は、洗浄槽内に設けた食器かごを昇降できる食器洗い機の改良に係わるものである。
【背景技術】
【０００２】
この種の食器洗い機は、例えば、特許文献１（特開２００２−６５５４８号公報）に示される。
【０００３】
食器洗い機は、洗浄槽内に設けた食器かごを昇降できる昇降手段を有する。洗浄槽内の食器かごを上方に移動させた上昇位置で食器の出し入れが行なわれる。
【０００４】
【特許文献１】特開２００２−６５５４８号公報
【発明の開示】
【発明が解決しようとする課題】
【０００５】
上記従来の食器洗い機は、食器かごの昇降手段としてリンク機構を用いている。リンク機構の昇降手段は、構成が複雑である。複雑な構成の昇降手段が洗浄槽内に置かれるので、食器かごを置くスペースが少なくなる。
【０００６】
また、リンク機構を駆動するための電動駆動手段を備えるので、更に複雑になって高価になる。さらに、食器かごの昇降は、２００ｍｍ程度の上／下移動流長さになる。洗浄槽の狭い空間内でリンク機構を用いて２００ｍｍを確保することは難しい。
【０００７】
本発明は、上記の問題に鑑み、昇降トレーを上げ下げする構成が簡単、かつ安価で、洗浄槽内に食器かごを置くスペースを多く確保でき、しかも食器かごの上／下移動長さを十分確保できる食器洗い機を提供することを目的とする。
【課題を解決するための手段】
【０００８】
本発明は、外枠体に引き出し自在に収まる洗浄槽と、この洗浄槽の内底に設けられる回転自在なる回転ノズル体と、この回転ノズル体の下側に設けられ、かつ洗浄水を回転ノズル体に加圧供給する電動ポンプと、前記洗浄槽内に内置され、該洗浄槽から取り外し可能な食器載置用の食器かごとが備わる食器洗い機において、前記食器かごを載置した状態で前記洗浄槽内を昇降する載置手段と、前記洗浄槽の引き出しにともない前記載置手段を吊り上げるように這わされている吊りロープと、前記洗浄槽の引き出しにともなう前記吊りロープの牽引に抗するように設けられる付勢手段と、前記載置手段の吊り上げ上方移動を拘束するロック装置とを有し、前記洗浄槽の引き出し完了にともない前記ロック装置の拘束が解かれ、前記付勢手段の付勢力により、前記載置手段の吊り上げ上方移動が行われることを特徴とする。
【発明の効果】
【０００９】
本発明によれば、引っ張りバネ等の付勢手段を用いるので、載置手段を上げ下げする構成が簡単、かつ安価で、洗浄槽内に食器かごを置くスペースを多く確保でき、しかも食器かごの上／下移動長さを十分確保できる食器洗い機を提供食器かごを容易に洗浄槽に出し入れできるので、使い勝手の良い食器洗い機を提供できる。
【発明を実施するための最良の形態】
【００１０】
本発明の実施形態に係わる実施例について、図を引用して説明する。
【００１１】
まず、図１〜図３に沿って食器洗い機の概要を説明する。この食器洗い機は、台所の流し台に組み込まれる形態のものである。
【００１２】
食器洗い機の外枠体１内には、洗浄槽２が備わる。洗浄槽２は、外枠体１に引き出し自在に収納される。図示されていないが、洗浄槽２の出し入れを円滑にするための案内レールやローラなどが備わる。洗浄槽２の前面には、各種のスイッチや各種の表示ランプ等が配置された操作パネル３が設けられる。また操作パネル３の下部が洗浄槽２を出し入れする操作ハンドルになっている。
【００１３】
食器類を収納する食器かご４は、洗浄槽２に備わる。食器かご４の下方になる洗浄槽２の内底には、回転ノズル体５と電動ポンプ６が設けられる。回転ノズル体５は、洗浄水を噴射するノズル７を有する。電動ポンプ６は、回転ノズル体５に洗浄水を加圧供給する。この加圧供給水を受けて回転ノズル体５は、ノズル７から勢いよく洗浄水を噴射し、その反動で回転ノズル体５は回転する。回転ノズル体５は、回転しながら広範囲に洗浄水を噴射する。
【００１４】
電動ポンプ６は、排水ポンプ部７を有する。電動ポンプ６は、回転ノズル体５に洗浄水を供給する洗浄ポンプ部と、洗浄水を排水する排水ポンプ部１０を有するのである。排水ポンプ部１０は、洗浄槽２の底部に設けた排水口８から洗浄水を吸い込み、排水ホース（図示せず）を介して食器洗い機の機外に排水する。
【００１５】
洗浄ポンプ部と排水ポンプ部１０は、電動ポンプ６の回転方向によって切り替わる。正転方向の回転では、洗浄ポンプ部がポンプとして機能し、逆転方向の回転では排水ポンプ部１０がポンプとして機能するように切り替わる。電動ポンプ６を駆動するモータの正転／逆転によって切り替えが行われる。
【００１６】
食器かご４は、洗浄槽２内を上下に昇降する。昇降は、載置手段としての昇降トレー９に載置されたまま行われる。食器かご４は、食器洗い機が稼動しているときは、洗浄槽２の内底側に位置している。食器の出し入れに際して、食器かご４は、上側に上げた上昇位置に置かれる。食器かご４が上昇位置にあるので、食器の出し入れがし易い。
【００１７】
また、洗浄槽２の内部は、よく清掃するのが望ましいが、食器かごが有ると、掃除がし難い。しかし、昇降トレー９に載置された食器かご４は、持ち上げることで昇降トレー９から簡単に取り外すことができるので、洗浄槽２の内部をよく掃除することができる。
【００１８】
また、食器が入ったままで、食器かご４を食器洗い機に出し入れする使い方もできる。使い勝手の良い食器洗い機を提供できる。
【００１９】
昇降トレー受け台２０は、洗浄槽２内の下側４隅に設けられる。昇降トレー９は、この昇降トレー受け台２０より、下がることはないので、食器かご４と回転ノズル体５が所定の間隔に保たれるので、洗浄性能が安定する。
【００２０】
昇降トレー９は、周囲に上向きの縁部が設けられているので、食器かご４を座り良く載置できる。昇降トレー９は、周囲を除き、大部分が開口、あるいは格子状に形成されているので、回転ノズル体５から噴射した洗浄水で食器かご４の食器が良く洗浄される。図示されている食器かご４は一体であるが、２分割、４分割にすることも可能である。また、食器かごを容易に係合／離脱できる係合手段を昇降トレーに設けることにより、食器かごの載置が安定する。
【００２１】
次に昇降トレー９の昇降手段について述べる。
【００２２】
昇降手段は、付勢手段の引っ張りバネ２１、滑車２２、吊りロープ２３を含む。付勢手段は、洗浄槽２の後部背面側に設けられる。引っ張りバネ２１は、外枠体１の奥の内側面上部に吊り下げるように取り付け固定される。この昇降手段は、洗浄槽２の後部背面側と、外枠体１の内側面との間にできる空間を利用して配置されるので、食器洗い機をコンパクト化することができる。
【００２３】
４つの滑車２２は、洗浄槽２の内部上端側の前後４隅近傍に備えられる。４本の吊りロープ２３は、滑車２２を経由して引っ張りバネ２１の他端に取り付け固定される。吊りロープ２３の他端は、それぞれ昇降トレー９に取り付け固定される。昇降トレー９は、吊りロープ２３に吊られて上下する。昇降トレー９は、吊りロープ２３により４隅の位置を吊る４点吊になるので、傾き無く安定した状態で食器かごを昇降させることができる。
【００２４】
洗浄槽２に設けられる電磁式のロック装置９５は、出没するロックピン１００を有する。ロックピン１００が突出して下方位置に置かれる昇降トレー９が上方に移動しないように拘束する。ロックピン１００が吸引されて引っ込むと、拘束が解かれた昇降トレー９は上方に移動できる。
【００２５】
洗浄槽２が引き出されると、弛んでいた吊りロープ２３と引っ張りバネ２１が、図２に示すように張られるので、付勢手段の引っ張りバネ２１により昇降トレー９を上昇させようとする引き上げ力が作用する。昇降トレー９がロック装置９５のロックピン１００で拘束されているので、下方位置に置かれたままである。
【００２６】
洗浄槽２が完全に引き出されたところで、ロックピン１００による拘束が解かれると、図３に示すように、昇降トレー９は食器かご４を載せたまま、付勢手段の引っ張りバネ２１に引かれて上昇位置まで移動する。洗浄槽２を外枠体１に収納する際は、食器かご４を載せたまま昇降トレー９を手押しするなどして下方位置に下げて昇降トレー９がロック装置９５のロックピン１００に拘束させる。ロックピン１００は上側面が先端に向かって傾斜している。昇降トレー９がロックピン１００の傾斜面を上から押すと、ロックピン１００は、一度、引っ込んでから飛び出し、昇降トレー９を拘束する。
【００２７】
この後、洗浄槽２を押し込むことにより、洗浄槽２は、外枠体１内に収納される。付勢手段の引っ張りバネ２１に引き込み力が作用するので、洗浄槽２は軽い力で押し込まれる。
【００２８】
このように昇降トレーの昇降手段は、付勢手段の引っ張りバネ、滑車、吊りロープを用いたものであるので、リンク機構や電動駆動手段を用いた従来のものに比べ、構成が簡単、安価である。昇降手段は、大きさでも従来のものより小さいので、その分、洗浄槽内に食器かごを置くスペースを多く確保できる。
【００２９】
また、食器かごの上げ下げ高低は、２００ｍｍ程度の長さになる。食器洗い機の狭い空間では昇降シリンダーやリンク機構を用いて２００ｍｍ程度のストロークを得るのは難しい。昇降手段は、滑車、吊りロープを用いるものであるので、２００ｍｍ程度の昇降作動を容易に実現できる。
【００３０】
次に食器洗い機のブロック制御回路について図４に沿い説明する。
【００３１】
制御手段（マイコン）４０は、溢水センサ４１、水位センサ４２、ヒータ温度検知手段４３、エアポンプ圧力スイッチ４４、ドアスイッチ４５、操作部４６、引出完了検知スイッチ４７の各種信号を演算処理して各種負荷を制御したり、表示部４８の表示制御を行う。
【００３２】
電源回路６０は、商用電源６１の交流を低圧の直流に換えて制御手段４０に供給する。電動ポンプ用のモータ６２は、インバータ回路６３により駆動される。インバータ回路６３には、フィルタ回路６４、全波整流回路６５を介して商用電源６１の交流を直流に換えた直流電力が供給される。
【００３３】
インバータ回路６３に供給される直流の電圧は電圧検知手段６６で検知され、直流の電流は電流検知手段６７で検知される。インバータ回路６３は、制御手段４０に指示のもとで、作動する駆動回路６８の信号により駆動制御される。モータ６２はブラシレスＤＣモ−タで、磁極位置検知回路６９が出力する磁極位置検知信号に基づいて駆動電流の通電が行われる。
【００３４】
シーズヒータ８０は、洗浄水の加熱をするもので、洗浄槽２の下部に設けられる水溜部に備えられる。シーズヒータ８０は、温度ヒュ−ズ８１、温度サーモスイッチ８２をヒータリレー８３の接点８３Ａを介して商用電源６１に接続される。ヒータリレー８３の励磁コイル８３Ｂは、制御手段４０の指示により通電が行われ、励磁コイル８３Ｂの励磁により、シーズヒータ８０に通電が行われる。
【００３５】
エアポンプ８４は、洗浄槽２の上縁部と、外枠体１の内側天井とのシールパッキングを伸縮させるポンプで、排気ポンプ部８４Ａと、給水ポンプ部８４Ｂを有する。排気ポンプ部８４Ａは、シールパッキングの空気を抜く。給水ポンプ部８４Ｂはシールパッキングに空気を供給する。
【００３６】
排気ポンプ部８４Ａは、排気ポンプリレー８５の接点８５Ａを介して商用電源６１に接続される。給気ポンプ部８４Ｂは、給気ポンプリレー８６の接点８６Ａを介して商用電源６１に接続される。排気ポンプリレー８５の励磁コイル８５Ｂは、制御手段４０の指示により通電が行われ、励磁コイル８５Ｂの励磁により、排気ポンプ部８４Ａが駆動される。給気ポンプリレー８６の励磁コイル８６Ｂは、制御手段４０の指示により通電が行われ、励磁コイル８６Ｂの励磁により、給気ポンプ部８４Ｂが駆動される。
【００３７】
給気ポンプ部８４Ｂの駆動はエアポンプ圧力スイッチ４４の検知圧力により制御され、シールパッキングは良好なシール状態に保たれ、洗浄水の漏れが防がれる。
【００３８】
ファンモータ８７は、洗浄槽２内に乾燥空気を循環させるもので、すすぎ工程後に運転される。ファンモータ８７は、ファンリレー８９の接点８９Ａを介して直流の電源回路６０に接続される。ファンリレー８９の励磁コイル８９Ｂは、制御手段４０の指示により通電が行われ、励磁コイル８９Ｂの励磁により、ファンモータ８７が駆動される。
【００３９】
ロック装置９５は、前述したように下方位置に置かれる昇降トレー９を拘束するものである。ロック装置９５は、ロックリレー９６の接点９５Ａを介して直流の電源回路６０に接続される。ロックリレー９６の励磁コイル９５Ｂを介して制御手段４０の指示により通電が行われ、励磁コイル９５Ｂの励磁により、ロック装置９５はロックピン１００を引き
込んで、昇降トレー９の拘束を解く。
【００４０】
次に食器かごの上げ下げに関し、動作の面から説明する。
【００４１】
食器の出し入れに際し、洗浄槽２の操作ハンドルをつかんで洗浄槽２を図２に示すように引き出す。このときには、洗浄槽２は、昇降トレー９が昇降トレー受け台２０に受けられているので、食器かご４は洗浄槽２の下方位置に置かれている。
【００４２】
洗浄槽２が完全に引き出されると、引出完了検知スイッチ４７に検知される。この引出完了検知スイッチ４７の検知信号を受けて制御手段４０は、ロック装置９５の拘束を解除する指示をする。励磁コイル９５Ｂの励磁により、ロック装置９５はロックピン１００を引き込み、昇降トレー９の拘束を解く。昇降トレー９は食器かご４を載せたまま、付勢手段の引っ張りバネ２１に引かれて上昇位置まで移動する。
【００４３】
食器かご４を載置した昇降トレー９が図３に示す上昇位置に達すると、上昇位置検知スイッチ（図示せず）が上昇位置検知信号を出力し、この出力信号を受けて制御手段４０は励磁コイル９５Ｂの励磁が止み、ロック装置９５のロックピン１００が突き出し、降下して来る昇降トレー９の拘束に備える。
【００４４】
昇降トレー９は、引っ張りバネ２１に引かれて上昇位置に保たれる。食器の出し入れは、食器かご４が上昇位置にあるので、洗浄槽２の内側底部にあるものに比べ、し易いのである。
【００４５】
また、食器かご４は昇降トレー９に載置されているので、食器かご４を持ち上げることにより、昇降トレー９から容易に取り外すことができる。取り付けも、食器かご４を昇降トレー９に載置するだけなので容易である。また、食器かご４の昇降トレー９への上げ下ろしは、食器かごが洗浄槽２の内側底部に位置するのに比べ、容易である。
【００４６】
食器かご４に食器を収納し終えたり、昇降トレー９に食器かご４を載置したら昇降トレー９を下げて食器かご４を下方位置に置く。この下方位置への移動は、食器かご４を載せたまま昇降トレー９を手押しするなどして下方位置に下げる。手押しによらず、自動的に降下させる他の降下手段を用いることも可能である。
【００４７】
図５に示す他の実施例について説明する。
【００４８】
ここでは、先の実施例と違うところを主に述べる。
【００４９】
付勢手段の引っ張りバネ２１は、洗浄槽２の後部背面と外枠１の内側面との間に設けられる空間に置かれ、かつＵ字形状に垂れる吊りロープ２３を下方に引っ張るように設けられる。垂れ下がる吊りロープ２３のＵ字形状の底部を引っ張りバネ２１で下方に引くことにより、洗浄槽２が外枠体１内に収納されている際に吊りロープ２３が洗浄槽２内に垂れ下がらないように張ることができる。
【００５０】
吊りロープ２３が垂れ下がって食器かご４内の食器に触れることがないので、洗浄槽２の出し入れ動作に支障を来たさない。
【図面の簡単な説明】
【００５１】
【図１】本発明の実施例に係わる食器洗い機の縦断面図である。
【図２】本発明の実施例に係わる食器洗い機の縦断面図で、洗浄槽を引き出した状態を示す図である。
【図３】本発明の実施例に係わる食器洗い機の縦断面図で、食器かごを上昇位置に置いた状態を示す図である。
【図４】本発明の実施例に係わる食器洗い機のブロック制御回路図である。
【図５】本発明の他の実施例に係わる食器洗い機の断面図である。
【符号の説明】
【００５２】
１…外枠体、２…洗浄槽、５…回転ノズル体、６…電動ポンプ、４…食器かご、９…昇降トレ−、２３…吊りロープ、２１…付勢手段の引っ張りバネ。
【図１】
2006149496.tif 000003
【図２】
2006149496.tif 000004
【図３】
2006149496.tif 000005
【図４】
2006149496.tif 000006
【図５】
2006149496.tif 000007